(57)【要約】無線ＥＣＧ監視の方法とシステムが提供されている。電極コネクタ、送信器、及び受信器は、既存の電極及びＥＣＧモニターで作動する。電極コネクタは、使い捨て又は再利用可能な単体電極に対する取り付け用のコネクタを含んでいる。送信器は、電極からの信号を受信器に送信する。受信器は、電極信号を処理のためにＥＣＧモニターに送る。例えば電極に対する配線接続のような導電体を伴って使用されるＥＣＧモニターには受信器が接続されるので、新たにモニターを購入する必要はない。異なるＥＣＧモニターを含むどのような既存のＥＣＧモニターでも、ＥＣＧモニターリード配線を使って受信器を接続することができる。ＥＣＧモニターは、ＥＣＧモニターから患者まで延びる配線に伴う指摘された問題を生じさせることなく、まるで電極に直接接続されているかのように作動する。
2004512864.tif 000002
【特許請求の範囲】
【請求項１】
患者のＥＣＧ監視用電極コネクタにおいて、
複数の電極を接続することのできる部材と、
前記部材上に設けられた複数の電極切り離し可能コネクタと、を備えていることを特徴とする電極コネクタ。
【請求項２】
前記部材は複数の伸張可能アームを備え、前記複数の伸張可能アームのそれぞれは、前記複数の電極切り離し可能コネクタのそれぞれに対応していることを特徴とする請求項１に記載のコネクタ。
【請求項３】
前記複数の伸張可能アームは、六軸電極に対応付けられた少なくとも４本の伸張可能アームを備えていることを特徴とする請求項２に記載のコネクタ。
【請求項４】
前記複数の伸張可能アームのそれぞれは、導電体を含んでいることを特徴とする請求項２に記載のコネクタ。
【請求項５】
前記導電体のそれぞれは、それぞれの電極切り離し可能コネクタと電気的に接続されていることを特徴とする請求項４に記載のコネクタ。
【請求項６】
前記伸張可能アームのそれぞれは、伸張に際し展開するように作動する第１部分と、伸張に際し折りたたまれたままである第２部分とを含んでおり、前記第１及び第２部分は伸張量に基づいて決まることを特徴とする請求項２に記載のコネクタ。
【請求項７】
前記複数の伸張可能アームの内の少なくとも第１のアームは六軸電極に対応し、前記複数の伸張可能アームの内の少なくとも第２のアームは前胸部電極に対応していることを特徴とする請求項２に記載のコネクタ。
【請求項８】
前記第２の伸張可能アームは前記第１の伸張可能アームに接続されていることを特徴とする請求項７に記載のコネクタ。
【請求項９】
更にベルトを備えており、前記複数の伸張可能アームの内の少なくとも１つは前記ベルトに接続されていることを特徴とする請求項２に記載のコネクタ。
【請求項１０】
第１の伸張可能アームは前記ベルトに接続された六軸電極アームを備え、第２の伸張可能アームは前記ベルトに接続された六軸及び前胸部電極アームを備えていることを特徴とする請求項９に記載のコネクタ。
【請求項１１】
ＥＣＧ監視用に電極を接続するための方法において、
（ａ）複数の電極を患者上に載置するステップと、
（ｂ）前記複数の電極の各電極毎に１つずつ設けられた複数の伸張可能アームを伸張させるステップと、
（ｃ）前記複数の伸張可能アームを前記複数の電極にそれぞれ接続するステップとから成ることを特徴とする方法。
【請求項１２】
前記（ａ）のステップは、六軸リード監視用の複数の電極を配置するステップを含むことを特徴とする請求項１１に記載の方法。
【請求項１３】
前記（ａ）のステップは、前胸部リード監視用の複数の電極を配置するステップを含むことを特徴とする請求項１１に記載の方法。
【請求項１４】
前記（ａ）のステップは、六軸リード及び前胸部リード両方の監視用の複数の電極を配置するステップを含むことを特徴とする請求項１１に記載の方法。
【請求項１５】
（ｄ）前記複数の電極からの信号を無線機で送信するステップを更に含んでいることを特徴とする請求項１１に記載の方法。
【請求項１６】
前記（ｃ）のステップは、前記複数の電極をスナップ端子で前記複数の伸張可能アームに電気的に接続するステップを含むことを特徴とする請求項１１に記載の方法。
【請求項１７】
前記（ｂ）のステップは、前記伸張可能アームそれぞれの第１部分を伸ばすステップと、前記伸張可能アームそれぞれの第２部分を折りたたまれたままにしておくステップとを含むことを特徴とする請求項１１に記載の方法。
【請求項１８】
（ｄ）前胸部リード伸張可能アームを六軸リード伸張可能アームに接続するステップを更に含んでいることを特徴とする請求項１１に記載の方法。
【請求項１９】
（ｄ）前記複数の伸張可能アームの少なくとも１つをベルトに接続するステップを更に含んでいることを特徴とする請求項１１に記載の方法。
【請求項２０】
患者から発生する電気信号を監視するためのシステムにおいて、
電極信号を送信するように作動する送信器と、
送信器に応答して前記電極信号を再生する、出力コネクタを有する受信器と、を備えており、
前記出力コネクタは、ＥＣＧモニターの電極リード線と接続ができるようになっていることを特徴とするシステム。
【請求項２１】
前記受信器は、ＥＣＧベクトル処理の無い電極信号を生成することを特徴とする請求項２０に記載のシステム。
【請求項２２】
前記送信器と電極に電気的に接続可能な少なくとも１つの電極コネクタを更に備えていることを特徴とする請求項２０に記載のシステム。
【請求項２３】
前記送信器は、前記電極コネクタの表面上の電極コネクタと接続されていることを特徴とする請求項２２に記載のシステム。
【請求項２４】
前記送信器と電気的に接続可能なベルトを更に備えていることを特徴とする請求項２０に記載のシステム。
【請求項２５】
前記送信器は、前記ベルトの表面で前記ベルトに接続されていることを特徴とする請求項２４に記載のシステム。
【請求項２６】
前記受信器は、前記ＥＣＧモニターに対して前記受信器を保持するように作動するコネクタを備えていることを特徴とする請求項２０に記載のシステム。
【請求項２７】
患者から発生する電気信号を監視するための方法において、
（ａ）患者から発生した信号を、電極を介して受信するステップと、
（ｂ）前記電極から受信した信号を表す情報を送信するステップと、
（ｃ）前記情報を受信するステップと、
（ｄ）前記電極から受信した信号を再構成するステップと、
（ｅ）ＥＣＧモニターからの既存のリード配線を接続するステップと、
（ｆ）再構成された信号を前記ＥＣＧモニターで受信するステップと、から成ることを特徴とする方法。
【請求項２８】
前記（ｅ）のステップは、ＥＣＧモニターからの既存のリード配線をポストにクリップするステップを含んでいることを特徴とする請求項２７に記載の方法。
【請求項２９】
（ｇ）前記（ｃ）のステップに備え受信器をプログラムするステップを更に含んでいることを特徴とする請求項２７に記載の方法。
【請求項３０】
前記（ｂ）のステップは、ブルートゥース仕様に従って送信するステップを含んでいることを特徴とする請求項２７に記載の方法。
【請求項３１】
（ｇ）複数の電極を患者の身体上に配置するステップと、
（ｈ）前記電極を送信器に接続するステップと、を更に含んでいることを特徴とする請求項２７に記載の方法。
【請求項３２】
前記再構成された信号は、ベクトル処理の無い信号から成ることを特徴とする請求項２７に記載の方法。
【請求項３３】
複数の電極における信号を再構成するための無線ＥＣＧ監視システムにおいて、
前記複数の電極と接続することのできる電極コネクタと、
前記電極コネクタと接続するように作動し且つ前記複数の電極からの信号を送信するように作動する単一の送信器と、
前記複数の電極からの信号を再構成するよう作動する受信器と、を備えていることを特徴とするシステム。
【請求項３４】
前記単一の送信器は、前記複数の電極からの信号を条件付けし且つ増幅するよう作動することを特徴とする請求項３３に記載のシステム。
【請求項３５】
前記受信器は、ＥＣＧモニターの既存のリード配線と接続するよう作動することを特徴とする請求項３３に記載のシステム。
【請求項３６】
前記再構成された信号は、ベクトル処理が無く、六軸リード電極位置に対応していることを特徴とする請求項３３に記載のシステム。
【請求項３７】
複数の電極からの再構成された信号による無線ＥＣＧ監視のための方法において、
（ａ）前記複数の電極を電極コネクタに接続するステップと、
（ｂ）前記複数の電極からの信号を単一の送信器で送信するステップと、
（ｃ）前記送信器により送信された信号を受信するステップと、
（ｄ）前記複数の電極からの信号を再構成するステップと、から成ることを特徴とする方法。
【請求項３８】
（ｅ）前記（ｄ）のステップを実行するよう作動する受信器をＥＣＧモニターの既存のリード配線に接続するステップを更に含んでいることを特徴とする請求項３７に記載の方法。
【請求項３９】
前記（ｄ）のステップは、ベクトル処理の無い信号を再構成するステップを含んでいることを特徴とする請求項３７に記載の方法。
【請求項４０】
患者のＥＣＧ監視用の電極コネクタの改良において、
電極に対応付けられた少なくとも１つの伸張可能アームを備え、前記少なくとも１つの伸張可能アームは、非形状記憶材料から成ることを特徴とする改良。
【請求項４１】
前記少なくとも１つの伸張可能アームは、複数の伸張可能アームから成ることを特徴とする請求項４０に記載の改良。
【請求項４２】
前記複数の伸張可能アームは、六軸及び前胸部電極に対応していることを特徴とする請求項４１に記載の改良。
【請求項４３】
前記少なくとも１つの伸張可能アームは、電極スナップコネクタを備えていることを特徴とする請求項４０に記載の改良。
【請求項４４】
前記少なくとも１つの伸張可能アームと電気的に接続された無線機を更に備えていることを特徴とする請求項４０に記載の改良。
【請求項４５】
複数の電極及び前記無線機との電気的接続部を有する無線機伸張可能アームを更に備えていることを特徴とする請求項４４に記載の改良。
【請求項４６】
ＥＣＧ監視用の複数の電極を相互接続する方法において、
（ａ）非形状記憶材料の複数の伸張可能アームを伸張するステップと、
（ｂ）前記複数の伸張可能アームを電極位置に配置するステップと、から成ることを特徴とする方法。
【請求項４７】
前記（ｂ）のステップは、前記複数の伸張可能アームを六軸及び前胸部位置に配置するステップを含んでいることを特徴とする請求項４６に記載の方法。
【請求項４８】
（ｃ）前記複数の伸張可能アームのそれぞれに電極をスナップ留めするステップを更に含んでいることを特徴とする請求項４６に記載の方法。
【請求項４９】
（ｃ）前記複数の伸張可能アームの１つを、前記複数の伸張可能アームの別のアームに切り離し可能に接続するステップを更に含んでいることを特徴とする請求項４６に記載の方法。
【請求項５０】
前記（ｃ）のステップは、前胸部伸張可能アームを六軸伸張可能アームに切り離し可能に接続するステップを含んでいることを特徴とする請求項４９に記載の方法。
【請求項５１】
（ｃ）前記複数の伸張可能アームの少なくとも１つをベルトに接続するステップを更に含んでいることを特徴とする請求項４６に記載の方法。
【請求項５２】
（ｃ）前記複数の伸張可能アームからの信号を無線送信するステップを更に含んでいることを特徴とする請求項４６に記載の方法。
【発明の詳細な説明】
【０００１】
（関連出願の説明）
本発明は、２００１年７月１８日出願の米国仮特許出願第６０／２１９，０８２号「無線ＥＫＧ」の一部継続出願であり、３５Ｕ．Ｓ．Ｃ．第１９項（ｅ）に基づき出願日の恩典を請求し、同時にその開示内容をここに参考文献として援用する。
【０００２】
（発明の属する技術分野）
本発明は医療用監視システム及びその方法に関する。具体的には、患者を監視するための生体医用システム及びその方法を提供する。
【０００３】
（発明の背景）
生体医用監視システムには、ベッドサイド式、可搬式、歩行随伴式、個別式の各生徴候モニターが含まれる。生徴候モニターでは、患者の心電計（ＥＣＧ）、体温、血圧、その他の特性を監視する。
【０００４】
ＥＣＧシステムは、患者の心臓の活動を監視する場合に使用する。例えば、３個の電極を患者の身体上に配置する。１つの電極からの信号は、他の２つの電極の信号の間の差（例えば、ＥＣＧベクトル）に対する基準信号として使用する。この基準信号並びに差動増幅器構成を使用することにより、原則的にはコモンモード干渉を無くすか又は低減することができる。別の例として、心臓の電気的活動を「１２リード」分析する場合には９個の電極を患者の身体上に配置する。
【０００５】
電極からＥＣＧモニターまでは配線でつながっている。ＥＣＧモニターは、患者の異なる位置で電気信号を測定して、信号を処理し、心臓の活動を表す複数の痕跡のようなＥＣＧデータを出力する。しかしながら、この配線のせいで患者が移動することや、患者の周りを移動することができなくなる。配線によって電極に応力が加わることになり、結果的に作動不良になったり患者から接続が外れてしまうことがある。すると、介護人は、電極を接続し直したり、付け直すために時間を割かねばならない。患者は、一日のうちにしばしば移動するので、ＥＣＧモニターを一旦外して、また別のＥＣＧモニターを再度接続することが必要になる。電極についても、しばしば取り外しと付け直しが必要になる。正確に同じ位置に付け直さないと、患者のＥＣＧはＥＣＧモニター毎に異なり、ＥＣＧにアーチファクトが発生する。
【０００６】
無線ＥＣＧシステムでは、患者からモニターへの配線を無くすため、電極は送信器に接続される。ＷＯ９４／０１０３９号に記載されている例では、マイクロチップが、患者の身体上の電極付近に配置されている。マイクロチップは、電極からの信号を分析して結果を送信する（４２ページ参照）。結果は、受信されるとプリンタ又はモニターに供給される（２６ページ参照）。しかしながら、患者に取り付けられているマイクロチップの処理した信号を受け取るためには、モニター、プリンタ又はレコーダを含むシステム一式が必要となる。
【０００７】
ホルターモニターは時間経過に伴う患者の生徴候を記録する。患者はモニターと記録装置一式を携行する。情報は、ダウンロードすることもできるし、或いは後の分析に備えて入手することもできる。しかしながら、これらシステムの多くは、患者の移動に伴うアーチファクトを抑制するために信号の帯域幅が制限されるので、情報が失われてしまうこともある。分析用に保存データを入手する場合には特別のモニター又は他の装置が必要となり、他の機器を最大限に有効利用することができなくなる。
【０００８】
無線ＥＣＧシステムは、電極を配設するためにしばしばパッチ又はストリップを使用する。ストリップには、電気的に送信器と接続された複数の電極が設けられている。１つの電極が機能しなければ、ストリップ全体を交換する。
【０００９】
（発明の概要）
本発明は、上記特許請求の範囲に記載する事項により定義されるものであり、本章の記述により請求の内容が制限されるものではない。前置きとして、以下に説明する好適な実施例には無線ＥＣＧモニター用の方法とシステムが含まれる。
【００１０】
電極コネクタ、送信器及び受信器は、既存の電極及びＥＣＧモニターと共に作動する。電極コネクタは、使い捨て又は再使用可能な単体電極へ取り付けるためのコネクタを含んでいる。送信器は、電極から受信器へ信号を送信する。受信器は、処理のため電極信号をＥＣＧモニターに流す。電気導体、例えば電極への配線接続、で使用されるＥＣＧモニターには受信器が接続されるので、新しいモニターを購入する必要はない。各種ＥＣＧモニターを始めとする既存のＥＣＧモニターは、どれもＥＣＧモニター側のリード配線を使って受信器に接続される。ＥＣＧモニターは、ＥＣＧモニターから患者に伸びる配線に附随する上記の問題を引き起こすことなく、電極に直接接続されているかの様に作動する。
【００１１】
本発明の第１の態様では、患者をＥＣＧ監視するための電極コネクタを提供する。この部材は複数の電極を相互接続できるようになっている。この部材には、複数の電極切り離し可能コネクタが含まれている。
【００１２】
第２の態様では、ＥＣＧ監視用の電極を接続するための方法を提供する。複数の電極が設けられている。複数の電極それぞれに１つずつ設けた複数の伸長可能アームが伸長している。複数の伸長可能アームは複数の電極に接続されている。
【００１３】
第３の態様では、患者の作り出した電気信号を監視するシステムを提供する。送信器は、電極信号を送信するように作動する。受信器は、送信器に応答して電極信号を作り出す。受信器は、ＥＣＧモニターの電極配線と接続することのできる出力コネクタを有している。
【００１４】
第４の態様では、患者の作り出した電気信号を監視する方法を提供する。信号は電極から受信する。電極から受信した信号を表す情報が送信される。情報を受信する。電極から受信した信号を再構成する。ＥＣＧモニターからの既存の配線を接続する。再構成された信号をＥＣＧモニターで受信する。
第５の態様では、複数の電極の信号を再構成するための無線ＥＣＧ監視システムを提供する。電極コネクタは、複数の電極と接続できるようになっている。単一の送信器が電極コネクタと接続できるようになっている。単一の送信器は、複数の電極からの信号を送信できるようになっている。受信器は、複数の電極からの信号を再構成できるようになっている。
【００１５】
第６の態様では、複数の電極からの再構成された信号を使って監視する無線ＥＣＧ監視の方法を提供する。複数の電極は、１つの電極コネクタに接続されている。複数の電極からの信号は単一の送信器で送信される。送信器により送信された信号を受信する。複数の電極からの信号を再構成する。
【００１６】
本発明のこの他の態様並びに利点は、好適な実施例に関連付けて以下に説明する。
【００１７】
（好適な実施例の詳細な説明）
無線ＥＣＧシステムは既存の電極とＥＣＧモニターを使用する。無線ＥＣＧシステムは、患者に取り付けられた従来型電極と従来型ＥＣＧモニターとを無線で繋ぐ。無線ＥＣＧシステムは、従来型、即ち既存のＥＣＧモニター又はシステムの能力を増強する付属装備品である。無線ＥＣＧシステムは、従来型ＥＣＧモニターに接続された従来型リード配線による拘束から患者を物理的に解き放つ無線延長コードとして機能する。
【００１８】
無線ＥＣＧシステムは、電極コネクタ（例えばセンサアレイ）、送信器（例えばＥＣＧ無線機）、及び受信器（例えば基地局）という３つの構成要素を含んでいる。これら構成要素は、従来型の電極、従来型のリード配線ケーブル、又は従来型のＥＣＧ監視システムに何ら変更を加えることなく、患者が装着している従来型の電極と従来型のＥＣＧモニターのリード配線ケーブルとの間に介在させることができる。スナップ端子のような切り離し可能な接続部を備えた電極コネクタと伸長可能アームとは、スナップ端子型電極のような既存の電極と電気的に接続できる。送信器は、電極から受信した信号を受信器に送る。受信器は、ＥＣＧモニターに、ＥＣＧモニターの従来型のリード配線又は電極配線を介して接続されている。患者の身体上で測定され或いはサンプリングされた電極信号を表す信号がＥＣＧモニターに送られる。既存のＥＣＧモニターは、信号を処理して、ＥＣＧベクトルデータのようなＥＣＧデータを出力する。従って、患者と心電計又は生徴候モニターとの間の物理的な連結は無くなる。これにより、患者はＥＣＧによる監視中も自由に歩き回ることができるようになる。
【００１９】
図１及び図６は、無線ＥＣＧ監視システム２０を示している。ＥＣＧ監視システム２０は、電極コネクタ２２、送信器２４、受信器２６及びＥＣＧモニター２８を含んでいる。使用する構成要素は増減することができ、ＥＣＧモニター無しでシステム２０を設けてもよい。電極コネクタ２２ではなく電極を備えたストリップ又はパッチ、又はＥＣＧモニター２８ではなくプリンタというように、代わりの構成要素を使用してもよい。
【００２０】
図２Ａ−Ｄは、電極３０の配列と共に使用する電極コネクタ２２の各種実施例を示している。電極３０は導電性材料を備えている。例えば、導電性繊維を備えた発泡体ディスク、又は導電性金属層を備えた繊維が使用される。電極３０は、配線への接続用にスナップ端子（雄型、雌型、又は雄雌型）又はタブを含んでいる。電極３０には他のコネクタが設けられることもある。電極３０は、図２Ａ−Ｃに図示するように六軸リード監視用の配置など、ＥＣＧ監視に備えて配置される。六軸リード監視の場合には、電極３０は左右腕部位置及び右及び／又は左脚部位置に配置される。このような電極配置で、リード線７本まで（例えば、リード位置Ｉ、ＩＩ、ＩＩＩ、ａＶＬ、ａＶＲ、ａＶＦ、及び胸部）を監視することができる。前胸部（例えば、Ｖ１−Ｖ６）に対応付けて、又は六軸と前胸部を組み合わせる（例えば「１２リード線」監視）など、他の電極配置を使用することもできる。電極３０は導電性ヒドロゲル又は他の接着剤を使って患者に取り付ける。電極３０及び／又は電極コネクタ２２は使い捨てでも再使用可能なものでもよい。
【００２１】
電極コネクタ２２は、複数の伸長可能アーム３２と送信器２４を含んでいる。伸長可能アーム３２は、図３に示すように、ワイヤ３６及び電極締結具３８のような導電性要素を備えたポリプロピレン又はポリエステル布を備えている。ある実施例では、伸長可能アーム３２は、デュポン社製のＫａｐｔｏｎ又はＭｙｌａｒ、布、織物、又は他の可撓性材料で形成されている。複数の誘電体層及び／又は電気導体或いは磁気導体材料を使ってワイヤ３６を遮蔽することができる。或いは、遮蔽しなくともよい。患者の快適さを考慮して、織物又は他の材料を伸長可能アーム３２の一方の側又は両側に取り付けてもよい。
【００２２】
ある実施例の伸長可能アーム３２は、上記材料のような非形状記憶材料（ｍｅｍｏｒｙ ｌｅｓｓ ｍａｔｅｒｉａｌ）から構成される。伸長可能アーム３２は、図３に示すような蛇行パターンにダイカットされる。伸長可能アーム３２は、蛇行パターンの部分と部分の間の接続を解除する即ち断絶することにより伸長する。伸長すると、伸長可能アーム３２の一部又は全部が伸長する。伸長可能アーム３２の一部だけを伸長する場合は、他の部分は折りたたまれたまま即ち断絶されないままである。弾性材料又は伸縮性材料による電極３０への圧力は回避されるので、患者に対して電極３０をより安定して接続することができる。伸長可能アーム３２は、また、余分な延長が起きてその結果緩んだ材料がもつれたりそれにより不快感を与えたりすること無しに、必要なだけ延長できるようになっている。別の実施例では、伸縮性又は弾性の伸長可能アーム３２を使用している。更に別の実施例では、非伸長可能アームを使用している。
【００２３】
伸長可能アーム３２の導電体即ちワイヤ３６は、Ｍｌｙａｒ、Ｋａｐｔｏｎ又は他の可撓性誘電体材料上にプリントされた導電体であるのが望ましい。プリントされた導電体は可撓性であり、伸長式か非伸長式かにかかわらず電極３０と送信器２４の間を電気的に接続する。別の実施例では、ワイヤ３６は、銅又は他の導電性材料の糸で構成されている。更に別の実施例では、ワイヤは同軸ケーブルから構成されている。各電極３０毎に１本又は複数のワイヤ３６が設けられる。伸長可能アーム３２の中には、１本のワイヤ３６が１つの電極３０から送信器２４又は別の伸長可能アーム３２へと電気的に繋がっているものもある。他の伸長可能アーム３２では、複数のワイヤ３６が、同一の及び／又は別の伸長可能アーム３２上の複数の電極３０それぞれから繋がっている。
【００２４】
電極締結具３８は、クリップ（例えば、ワニ口クリップ）、スナップ端子、又はコネクタ（雄型、雌型、雄雌型）、接着タブ、又は、電極３０を伸長可能アーム３２に電気的且つ物理的に連結するための他の装置を備えている。図２Ｄに示すように、複数の電極締結具３８を１つの伸長可能アーム３２上で使用することができる。他の実施例では、１つの電極締結具３８が、伸長可能アーム３２の一端又は他の部分に設けられている。１つの電極３０が作動不良の場合は、その電極３０だけを取り外して交換する。電極コネクタ２２はそのまま維持される。
【００２５】
伸長可能アーム３２の他端には、他の伸長可能アーム３２又は送信器２４が接続される。複数の伸長可能アーム３２は、図２Ａ及び図２Ｂに示すような螺旋状など、どのような形状にでも接続できる。伸長可能アーム３２は、ハブ４０から切り離し可能に、或いは固定的に接続される。図２Ａの実施例では、１つの伸長可能アーム３２は、送信器２４と電気的に連通するために、電極３０全て又はそのサブセット用の配線を含んでいる。送信器２４は、アームバンド（図示）上に又は患者身体上の別の箇所に配置するなど、ハブ４０から離して配置される。例えば、図６は、ネオプレン又は他の布から成るアームバンド７４で患者身体上に保持される送信器２４を示している。図２Ｂの実施例では、送信器２４はハブ４０上に配置されている。
【００２６】
ハブ４０は、伸長可能アーム３２と同一材料から成り、連続したシートを使ってハブ４０と伸長可能アーム３２を形成してもよい。他の実施例では、ハブ４０は、伸長可能アーム３２と電気的及び物理的に接続するための切り離し可能コネクタと同一の又は異なる材料で構成される。例えば、ハブ４０は、伸長可能アームと接続するための複数の導電性スナップ端子を備えたプラスチック材料又は他の材料で構成されている。
【００２７】
別の構成としては、図２Ｃに示す「７型」又は「Ｌ型」の構成がある。電極位置のうちの１つは概ねハブ４０に対応しており、伸長可能アーム３２は、ハブ４０から伸長する。また代わりの構成としては、多数のハブを用いた「Ｃ型」又は「Ｕ型」構成が挙げられる。
【００２８】
更に別の構成を図２Ｄに示す。ベルト４２には複数の伸長可能アーム３２が接続されている。ベルト４２は、ネオプレン、不織ポリプロピレン又はポリエチレン布、又は他の材料で構成されている。ベルト４２には、送信器２４用の１つ又は複数のポケット又はコネクタ、他の電気的構成要素、バッテリ、表示装置、又は他の装置が設けられている。図４に示す実施例では、ベルト４２は患者の腰周りに締結するか又は伸ばして装着するように作られているが、腕ベルト、首ベルト、胸ベルト、又は脚ベルトを使用してもよい。１つ又は複数の伸長可能アーム３２は、ベルト４０と切り離し可能に繋がっている。ある実施例では、ベルト４０は、各電極位置毎に別個のコネクタ４４を有している。他の実施例では、ベルト４０上の１つ又は複数のコネクタ４４は、１つの伸長可能アーム３２上の複数の配線３６及び付帯電極３０と電気的に接続するための別々の電気接点を有している。コネクタ４４は、ベルト４２の外表面上に設けられているが、ポケット内部に設けてもよい。送信器２４は、ベルト４２上に、或いは患者身体上の何処かに配置される。
【００２９】
図２Ｄに示すように、１つ又は複数の伸長可能アーム３２は、他の伸長可能アーム３２との接続用に１つ又は複数のコネクタ４４を有しハブ４０を形成していてもよい。例えば、１つ又は複数の導電性スナップ端子で伸長可能アーム同士を接続する。伸長可能アーム同士の間の多数の個別配線の接続に関わるクリップと配線を備えた雄及び雌型ハウジングのような、他のコネクタを使用してもよい。
【００３０】
構成は所望するＥＣＧ監視に対応している。図２Ａ−Ｃは、連続監視に対応付けられた、電極３０の六軸位置を示している。電極３０は、左腕、右腕、左脚、及び／又は右脚に対応付けられた六軸位置に配置されている。多くのＥＣＧシステムでは、３電極位置を採用しているが、中には４以上の電極位置を採用しているものもある。図２Ａ及び図２Ｃは３電極位置を示している。図２Ｂは、４電極位置を示している。電極位置は、３箇所ないし５箇所などに、減らしても、又は電極締結具３８及び／又は伸長可能３２を追加して増やしてもよい。
【００３１】
図２Ｄは、「１２リード」ＥＣＧ監視に対応する、電極３０の六軸位置と前胸部位置の双方を示している。２つ又はそれ以上の伸長可能アーム３２が六軸位置で電極３０と繋がっている。伸長可能アーム４６のような１つ又は複数の伸長可能アーム３２は前胸部位置で電極３０と繋がっている。この実施例では、前胸部伸長可能アーム４６は、六軸位置用に使用されている別の伸長可能アーム３２に接続されている。その結果形成されたハブ４０は、前胸部電極位置の１つに対応している。別の実施例では、ハブ４０は何れの電極３０からも離れて配置されている。更に別の実施例では、１つ又は複数の前胸部伸張可能アーム４６は、個別にベルト４２と接続されている。例えば、図６に示すように、六軸電極コネクタ７６と前胸部電極コネクタ７８が別個に設けられている。前胸部電極コネクタ７８は、六軸電極コネクタ７６又は送信器２４と繋がっている。
【００３２】
ハブ４０及び伸長可能アーム３２は、余分に伸長可能アーム３２又は電極３０を追加する場合に備えコネクタ４４を含んでいる。例えば図２Ｄに示すように、２つ又はそれ以上の伸長可能アーム３２が、前胸部伸長可能アーム４６無しで、六軸リード監視に備えて配置されている。前胸部リード監視が必要な場合は、電極３０は前胸部６箇所に沿って配置され、伸長可能アーム４６は、伸張され、前胸部電極３０に接続される。伸長可能アーム４６は、ベルト４２又は他の伸長可能アーム３２にも接続される。或いは、異なるＥＣＧシステムの場合又は多数の電極の場合には、異なる電極コネクタ２２が使用される。伸長可能アーム３２は可撓性で伸長可能なので、図２Ａ−Ｄの肉太矢印で示すように、各種電極位置に対して同一の電極コネクタ２２が使用される。
【００３３】
送信器２４は電極３０から信号を受信する。送信器２４は、無線、超音波、赤外線又はその他の送信器のような、無線送信器又はトランシーバで構成されている。例えば、ブルートゥース仕様に則って作動するトランシーバ（即ち、ブルートゥーストランシーバ）が使用される。ある実施例では、送信器２４は、用途特定集積回路、プロセッサ、又は他の回路を備えている。
【００３４】
図７は、送信器２４の１つの実施例を示している。送信器２４は、複数の電極信号チャネル８０、マルチプレクサ８２、アナログ対デジタル変換器（ＡＤＣ）８４、制御装置８６、無線機８８、及びバッテリ９０を含んでいる。構成要素の数は減らしても増やしてもよく、また異なる構成要素を使用してもよい。バッテリ９０は、送信器２４の各構成要素に電力を供給するために接続されている交換可能又は再充電可能なリチウムバッテリである。
【００３５】
ある実施例では、六軸リード及び前胸部リード監視用に使用される典型的な９電極に対応する９電極信号チャネル８０を設けている。電極信号チャネル８０の数は、少なくても多くてもよい。電極信号チャネル８０はそれぞれ、コネクタ９２、フィルタ９４、増幅器９６、ナイキストフィルタ９８、及びトラック＆ホールド回路１００を備えている。コネクタ９２は、配線３６と接続するためのスナップ、プラグ、又は他の電気コネクタを備えている。フィルタ９４は、電磁干渉信号を取り除くため等に使うローパスフィルタを備えている。増幅器９６は、電極３０からの信号を増幅する。ナイキストフィルタ９８は、増幅された信号の高周波数成分を取り除き増幅エラーを回避するためのローパスフィルタを備えている。トラック＆ホールド回路１００は、システムが９チャンネルの信号全てを同時に又は相関する時間にサンプリングできるようにして、これら信号が後に既存のＥＣＧモニターで組み合わされるときに差分エラーが発生しないようにしている。
【００３６】
マルチプレクサ８２は、時分割多重化を使って電極信号チャネル８０から信号を順次的に選択するが、他の組み合わせ関数を使用してもよい。ＡＤＣ８４は、組み合わされたアナログ信号を送信用のデジタル信号に変換する。制御装置８６は、各構成要素の作動を制御し、更に、診断操作、あらゆるユーザーインターフェース（例えば入力及び／又は出力装置）の制御、及び電極への接続検出のようなデジタル信号を処理する。制御装置は、デジタル化された信号を縮小して信号の送信に必要な帯域幅を小さくするデジタル信号プロセッサ（ＤＳＰ）を備えているのが望ましい。無線機８８は、送信用の搬送波信号でデジタル信号を変調する。ある実施例では、無線機８８は情報受信用の復調器を含んでいる。制御装置８６は受信した情報を処理する。
【００３７】
ある実施例では、送信器２４は、入ってくる不必要なノイズ又は信号を最小化するよう機能する。例えば、構成要素は、心臓ベクトルが正確であることを判定するために、後で既存のＥＣＧモニターの差動増幅器に掛けることができるように適合されている。ある実施例では、ＥＣＧベクトルはＥＣＧシステムで形成されるのではなく、既存のＥＣＧモニターで形成される。ＥＣＧシステム２０は、基本的には既存のＥＣＧモニターと「直列」なので、エラーがあれば望ましくない結果が発生する。考えられるエラー源の１つに、差分エラーがある。この差分エラーは、ＥＣＧモニター入力段階で個々の電極信号を組み合わせることによりＥＣＧモニターがＥＣＧリード信号を形成する際に、既存のＥＣＧモニター上で観察することができる。この入力段階は、電極３０で作られた信号からコモンモード干渉を排除するための差動増幅器で構成されている。各電極信号の処理法に何らかの差があれば、既存のＥＣＧ差動増幅器がＥＣＧリード信号又はＥＣＧベクトルを形成する際に、アーチファクトが現れることになる。例えば、送信器２４において、増幅器のゲインに差があれば、アンチエイリアシング（ナイキスト）フィルタに関係する位相偏移に差があれば、各トラック＆ホールド回路による電極信号の扱い方に差があれば、この差異エラーにより既存のＥＣＧモニターにアーチファクトが発生する。考えられるこの差異エラーの源を最小化するための重要な手法は、非常に高いナイキストフィルタ９８のカットオフ周波数を選択することである。これは、各個別のフィルタは異なる群遅延性能を有するはずだからであり、この差異を緩和するため、この群遅延が影響する周波数は、約０．０５Ｈｚないし１５０ＨｚであるＥＣＧ信号の周波数よりもずっと高くなっている。ナイキストフィルタ９８に高いカットオフ周波数を選択することにより、ナイキストフィルタ９８の構成要素内の如何なる不整合も個々の電極ＥＣＧ信号の精度に影響を及ぼさないようになる。例えば、フィルタカットオフ周波数を１，２００Ｈｚにすれば、このエラー源を緩和できる。このようにすれば、個別の電極ＥＣＧ信号は、エイリアシングを導入しないようにするため約３，０００Ｈｚでオーバーサンプルリングされる。無論、より高いフィルタカットオフ周波数及び対応するより高いサンプリング速度を選べば、エラーは更に減少する。より低いカットオフ周波数及び／又はサンプリング速度を使用してもよい。
【００３８】
これで、電極信号は高速でサンプルされることになるので、これら信号は大幅に縮小され、必要な送信帯域幅が最小化される。例えば、デジタルサンプルは制御装置８６内で８分の１に縮小される。送信に利用できる帯域幅、表現すべき電極信号の数、及びナイキストサンプル速度の関数として縮小率を決めるなど、使用する縮小率は大きくも小さくもできる。別の実施例では、デジタルデータは圧縮され、電極信号はオーバーサンプリングされず、或いは縮小は行なわれない。
【００３９】
選択された信号は、搬送波信号で変調された無線又は他の信号として送信される。ブルートゥース、ＴＣＰ／ＩＰ又は他のフォーマットなど、送信用の各種フォーマットが使用できる。制御装置８６は、電極信号の捕捉と送信を制御する。送信された信号は、電極３０から受信した信号を表すデータを含んでいる。別の実施例では、制御装置８６は、送信前に信号を処理することもでき、そうすると送信される信号にはＥＣＧベクトルデータが含まれることになる。ある実施例では、送信器２４は、受信器２６から、信号を再送するための指示などの制御情報も受信する。
【００４０】
送信器２４は患者の近くに配置される。図２Ａ及び図２Ｃに示す実施例では、送信器２４は、ハブ４０上に又は伸長可能アーム３２上に配置されている。図２Ｂに示す実施例では、送信器２４は、アームバンド上に配置されているが、脚バンド、胸バンド、又は他のバンドを使用してもよい。図２Ｄの実施例では、送信器２４はベルト上に配置されている。送信器２４のために、ポケット又は表面取り付け具が設けられている。別の実施例では、送信器２４は、衣類のポケット内に、又は患者のどこか他の場所に配置されている。
【００４１】
ある実施例では、送信器２４は取り外せるようになっている。例えば、クリップ、スクリュー、ボルト、ラッチ、又は他の装置により、送信器２４を電極コネクタ２２に接触させた状態で切り離し可能に保持する。電気的接点は、細動除去器により作り出された電気エネルギーに耐えるようになっているコネクタで形成されている。これらのコネクタで、物理的接続も形成することができる。送信器２４は、バッテリを再充電する際には取り外してもよいし、或いは取り外さないでバッテリを再充電する場合には、電極コネクタ２２又は送信器２４にプラグを設けておく。バッテリ又は送信器２４は、電極コネクタ２２と同様に、複数日間又は複数回使用することができ、費用をかけてシステム全体２０を交換することを回避するために、分離して使い捨て可能となっている。
【００４２】
図１から図６に示すように、受信器２６は送信された信号を受信する。受信器２６は、無線受信器、赤外線受信器、超音波受信器、又は他の受信器で構成されている。特定用途向け集積回路、つまり送信器２４から信号を受信し、受信した信号をデコードし、それを表現する電極信号を生成するためのデジタル信号プロセッサ又は他の回路が使用される。ある実施例では、受信器は、送信器２４との双方向通信用トランシーバで構成されている。例えば、ブルートゥース仕様に従って作動するトランシーバが使用される。
【００４３】
図８は、受信器２６の１つの実施例を示している。受信器２６は、無線機１１０、制御装置１１２、デジタル対アナログ変換器（ＤＡＣ）１１４、デマルチプレクサ１１６、複数の電極信号チャネル１１８、及びバッテリ又は電源装置１２０を有している。構成要素を加えても、減らしても、或いは異なる構成要素を使用してもよい。電源装置１２０は、受信器２６の各構成要素に電力を提供するように接続された、交換可能な又は再充電可能なバッテリ、又は他の電源で構成するのが望ましい。
【００４４】
無線機１１０は、組み合わされた電極信号を表すデジタルデータを識別するために、受信した信号を復調する。ある実施例では、無線機１１０は、制御情報を送信するための変調器も含んでいる。制御装置１１２は、各種構成要素の動作を制御し、更に、無線機１１０からの信号を処理して、データの補間、信号のデジタル情報への変換、送信器２４への制御信号の生成、ユーザーインターフェースの操作、ユーザー入出力機器の操作、システム２０の作動の診断などを行う。受信器２６の制御装置１１２は、電極信号を補間して有効サンプル速度を約３ｋＨｚ又は他の周波数に戻す。これにより、再構成フィルタは、電極信号の帯域幅の何倍ものカットオフ周波数を有することができ、対象の周波数、即ち１５０Ｈｚ未満の周波数での群遅延の差異を最小化する。ＤＡＣ１１４は、デジタル信号をアナログ信号に変換する。デマルチプレクサ１１６は、生成された個々の電極信号を別々の電極信号チャネル１１８へ分ける。
【００４５】
ある実施例では、六軸リード及び前胸部リード監視の場合に使用される典型的な９個の電極に対応する９つの電極信号チャネル１１８が設けられている。電極信号チャネル１１８の数は、それより多くても少なくてもよい。電極信号チャネル１１８は、それぞれ、サンプル＆ホールド回路１２０、フィルタ１２２、減衰器１２４及びコネクタ１２６を備えている。サンプル＆ホールド回路１２０は、変換された電極信号が各電極信号チャネル１１８に同時に現れるように、制御装置１１２により制御される。差異エラーは緩和されることになる。他の実施例では、信号を実質的に同時に供給する個別のＤＡＣを含んでいる。フィルタ１２２は、ＤＡＣ変換処理に関わる高周波数信号を取り除くためのローパス再構成フィルタを備えている。減衰器１２４は、送信器２４の増幅器９６で先に増幅た振幅を、電極３０の信号に対応付けられたレベルまで下げるための増幅器を備えている。その結果、電極と既存のＥＣＧモニターの間にエラーが入り込まないような単位システムゲインとなる。他のゲインを使用してもよい。コネクタ１２６は、リード配線セット７０と接続するための、ポスト、スナップ、プラグ、タブ、又は他の電気コネクタで構成されている。
【００４６】
制御装置１１２は、ユーザー入力装置又はメモリからの入力に応じて復調周波数を設定するか、或いは復調周波数は固定されている。ある実施例では、ユーザー入力装置は、手動周波数制御に対応付けられた、プログラムされたチャネルに対応付けられた、数字又は文字に対応付けられた、考えられる送信器２４に対応付けられた、又は復調周波数選択用の他の入力装置に対応付けられたボタンを備えている。受信器２６は、ＥＣＧモニター２８と電気的に接続されている。
【００４７】
図６は、無線ＥＣＧシステム２０のある実施例を示しており、標準ＥＣＧモニター２８からの配線７０は、受信器２６上の導電性ポスト７２又は他のコネクタに取り付けられている。配線７０は、リード配線セット、即ちケーブル、又はＥＣＧモニター２８からの又はＥＣＧモニター２８用の電極コネクタを備えている。ポスト７２は電極３０として表示分類されており、配線７０は、受信器２６上の対応する出力に接続されている。受信器２６は、ＥＣＧモニター２８による処理に備えて、あたかも対応する電極３０からであるのように信号を出力する。別の実施例では、受信器２６は、ＥＣＧモニター２８と接続するための配線を含んでいる。
【００４８】
ある実施例では、受信器２６はＥＣＧモニター２８と物理的に繋がっている。例えば、受信器２６上のラッチ、クリップ、又はストラップで、受信器２６をＥＣＧモニター２８に接続する。別の実施例では、受信器２６は、装置のポール又は壁部に接続されるか、或いは独立して設置される。受信器２６は切り離し可能に取り付けられる。患者を動かす場合は、受信器２６を取り外して別のＥＣＧモニター近くまで動かす。或いは、異なる受信器２６を同じ送信器２４と作動させて、患者側の送信器２４からの信号を別の受信器２６で受信するようにプログラムする。
【００４９】
ＥＣＧモニター２８は、１つ又は複数のベッドサイドモニター、可搬式モニター、又は個別（即ち診断用）モニターを含んでいる。ベッドサイドモニターと可搬式モニターは、六軸リード監視などに対応する連続監視の場合に使用される。個別モニターは、「１２リード」監視のような分析、又は前胸部及び／又は六軸リードに関係する多数のベクトルを入手する場合に、周期的に使用される。ＥＣＧモニター２８は、信号が電極３０から直接受信されたかのごとく電極信号を処理する。送信器２４又は受信器２６はどちらも、２つの電極に関係付けられた心臓ベクトルを求めるための差動増幅器を備えてはいない。
【００５０】
ＥＣＧモニター２８の中には、電極３０の故障又は作動不良を試験するものもある。例えば、リード配線を通して電極３０に信号を出力するか、又は電極３０からの信号に関係する直流電流レベルをモニターする。この機能性を継続して提供するために、無線ＥＣＧシステム２０は電極故障又は作動不良を試験して、その結果をＥＣＧモニター２８に表示する。例えば、送信器２４は、ＥＣＧモニター２８と同じ又は同様の試験を行う。別の実施例では、送信器２４又は受信器２６は、ＥＣＧ信号が予測範囲内にあるかどうかを判定する。例えば、制御装置１１２（図８）は、補間後などのデジタル電極信号を最大閾値及び最小閾値と比較する。特定のサンプル数だけ又は特定の時間に関しての何れかで閾値を超えていれば、リード線不通又は電極３０に欠陥があると表示される。１つ又は複数のサンプルが連続して閾値のヒステリシス限界内にあるときは、エラーは表示されない。リード線不通の状態が表示されると、受信器２６はアナログスイッチを開くか、又は作動不良又は故障の電極３０に対応する出力については信号を生成しない。その結果、ＥＣＧモニター２８は電極３０の故障を表示する。送信器２４又は受信器２６が無線通信範囲外にあるとき、ＥＣＧモニター２８にリード線不通状態が提示される。
【００５１】
ＥＣＧ監視システム２０は、連続六軸リード監視、又は折々の前胸部リード監視、又は六軸リード及び前胸部リード双方による監視の場合に使用される。図５は、システム２０の使用法を表す動作である。
【００５２】
ステップ５０では、電極３０が患者身体上に配置される。例えば、電極３０は六軸位置、前胸部位置、又はそれらを組み合わせた位置に配置される。
【００５３】
ステップ５２では、電極コネクタ２２及び送信器が配置される。伸張可能アーム３２は、その一部又は全体を伸張するなどして伸張される。伸張可能アーム３２の別の部分は、折りたたんだまま、即ち伸張していない状態のままでもよい。伸張可能アーム３２は、１つ又は複数の電極に届くまで伸張される。
【００５４】
ステップ５４では、電極コネクタ２２が電極３０に接続される。例えば、伸張可能アーム３２は、電極３０にスナップ留め又はクリップ留めするなどして、１つ又は複数の電極に切り離し可能に接続される。伸張可能アーム３２は、他の伸張可能アーム３２、ハブ４０、送信器２４、及び／又はベルト４２にも接続される。別の実施例では、電極３０は、電極３０を配置し伸張可能アーム３２を伸ばす前に、電極コネクタ２２と接続される。
【００５５】
ステップ５６では、送信器２４は作動即ち通電状態に置かれる。ある実施例では、送信器２４上のスイッチで送信器を起動する。別の実施例では、１つ又は複数の配線３６、伸張可能アーム３２、電極コネクタ２２、及び／又は電極３０への接続部で送信器２４を起動する。これに応じて、送信器２４は電極信号を表す信号を発する。
【００５６】
ステップ５８で、受信器２６がプログラムされる。送信器２４に対応するコードが入力され、又はチャネル（即ち、周波数）が選択される。別の実施例では、受信器２６は、予測されるフォーマットの信号又は特定のコードを有する信号のような該当する信号を求めて複数の周波数を探索する。２つ以上の信号が識別されると、該当する信号をユーザーが選択するよう出力が提供される。信号の受信を表示する視認出力又は可聴出力を提供してもよい。
【００５７】
ステップ６０では、ＥＣＧモニター２８からの配線又は電極コネクタが受信器２６に接続される。別の実施例では、ステップ６０はステップ５０、５２、５４、５６又は５８の何れかの前に起きる。
【００５８】
ステップ６２では、モニター、プリンタ、又はメモリのようなＥＣＧ装置が起動される。電極３０の信号に対応するアナログ信号又はデジタル信号が、受信器２６からＥＣＧ装置に受信される。ＥＣＧ装置は、信号を処理して１つ又は複数の心臓ベクトルのようなＥＣＧデータを生成する。
【００５９】
ある実施例では、発光ダイオード、光導体又は複数の発光ダイオード、又は他の出力装置を送信器２４及び／又は１つ又は複数の伸張可能アーム３２上に設けている。出力装置は、送信器の電気的動作又は配線３６による信号のコンダクタンスを表示する。異なる出力装置が不適切な動作を表示するようにしてもよい。ある実施例では、伸張可能アーム３２を伸ばすことにより１つ又は複数の出力装置が動作を起こす。
【００６０】
無線ＥＣＧシステム２０は、配線の動きによるアーチファクトを減少させ、患者が配線に邪魔されることなく衣類を着用できるようにするとともに、機械への配線接続による患者への精神的威嚇を低減することができる。電極３０は、ＥＣＧモニター２８に接続される配線による質量や力が下がるので、接続の外れる恐れが少なくなる。無線ＥＣＧシステム２０は、多種多様なＥＣＧモニター２８及び電極３０で使用することができる。患者の身体上に既に配置されている同じ電極３０が使えるので、患者を移送して異なるＥＣＧモニター２８に接続する場合のセットアップがより早く行える。移送のために電極３０を装着し直す必要がないので、ＥＣＧモニター出力は、前のＥＣＧモニターの出力とより互換性のあるものとなる。患者の移動又は発汗により電極３０が故障した場合は、電極コネクタ２２又は他の電極３０を交換することなくその電極だけ交換すればよい。
【００６１】
以上、各種実施例を参照しながら本発明を説明してきたが、本発明の範囲を逸脱することなく多くの変更及び修正が行えるものと理解頂きたい。例えば、送信器と受信器は、それぞれ、双方向通信及び制御用のトランシーバで構成してもよい。様々な態様を他の態様と共に或いは別々に利用してもよく、例えば、電極コネクタ２２を、電極信号を処理して、電極信号を表す送信信号ではなくＥＣＧベクトルデータに変換する送信器と共に利用してもよい。別の例として、電極信号を送信するが、異なる電極コネクタ、ストリップ、パッチ、又は単なるワイヤを使用して行うことが挙げられる。上記のシステムと方法を使って、体温や血圧など他の生体医学系を付加的に又は代わりに監視することもできる。
【００６２】
従って、上記詳細な説明は、本発明を定義するものではなく、本発明の現在好適と考えられる実施例を説明するものと理解されるべきである。本発明の範囲を定義するものは、上記特許請求の範囲に述べる内容並びにその等価物とする。
【図面の簡単な説明】
【図１】
ＥＣＧ監視システムの１つの実施例を示すブロック図である。
【図２Ａ】
図１のＥＣＧ監視システムの電極コネクタ及び送信器の一実施例を示す正面図である。
【図２Ｂ】
図１のＥＣＧ監視システムの電極コネクタ及び送信器の１つの実施例を示す正面図である。
【図２Ｃ】
図１のＥＣＧ監視システムの電極コネクタ及び送信器の１つの実施例を示す正面図である。
【図２Ｄ】
図１のＥＣＧ監視システムの電極コネクタ及び送信器の１つの実施例を示す正面図である。
【図３】
図２Ａ−Ｄの電気コネクタの伸長可能アームの１つの実施例を示す斜視図である。
【図４】
図２Ｄの電極コネクタと共に使用されるベルトの１つの実施例を示す正面図である。
【図５】
図１のＥＣＧ監視システムの作動に関する１つの実施例を示すフローチャートである。
【図６】
ＥＣＧ監視システムの別の実施例を示す斜視図である。
【図７】
送信器の１つの実施例を示すブロック図である。
【図８】
受信器の１つの実施例を示すブロック図である。
【図１】
2004512864.tif 000003
【図５】
2004512864.tif 000004
【図７】
2004512864.tif 000005
【図８】
2004512864.tif 000006
【国際公開パンフレット】
2004512864.tif 000007
2004512864.tif 000008
2004512864.tif 000009
2004512864.tif 000010
2004512864.tif 000011
2004512864.tif 000012
2004512864.tif 000013
2004512864.tif 000014
2004512864.tif 000015
2004512864.tif 000016
2004512864.tif 000017
2004512864.tif 000018
2004512864.tif 000019
2004512864.tif 000020
2004512864.tif 000021
2004512864.tif 000022
2004512864.tif 000023
2004512864.tif 000024
2004512864.tif 000025
2004512864.tif 000026
2004512864.tif 000027
2004512864.tif 000028
2004512864.tif 000029
2004512864.tif 000030
2004512864.tif 000031
2004512864.tif 000032
2004512864.tif 000033
2004512864.tif 000034
2004512864.tif 000035
2004512864.tif 000036
2004512864.tif 000037
【国際公開パンフレット（コレクトバージョン）】
2004512864.tif 000038
2004512864.tif 000039
【国際調査報告】
2004512864.tif 000040